(57)【要約】【課題】液晶を用いた表示装置における残像特性を向上させることを目的とする。【解決手段】表示装置としてＬＣＤ（Liquid Crystal Display）とバックライトとを有する情報処理装置であって、ＬＣＤの制御を行うＬＣＤコントローラと、ＬＣＤ表示を消去する際に、バックライト電源を遮断して白単色画面を表示すると共に、ＬＣＤ電源を遮断してからＬＣＤコントローラをオフする手段と、白単色表示の際に、フレームバッファの内容を白データに書き換える手段とを有することを特徴とする情報処理装置等を提供する。【選択図】  図１
2006071768.tif 000002
【特許請求の範囲】
【請求項１】
表示装置としてＬＣＤとバックライトとを有する情報処理装置であって、
前記ＬＣＤの制御を行うＬＣＤコントローラと、
ＬＣＤ表示を消去する際に、バックライト電源を遮断して白単色画面を表示すると共に、ＬＣＤ電源を遮断してから前記ＬＣＤコントローラをオフする手段と、
白単色表示の際に、表示メモリの内容を白データに書き換える手段とを有することを特徴とする情報処理装置。
【請求項２】
表示装置としてＬＣＤとバックライトとを有する情報処理装置であって、
前記ＬＣＤの制御を行うＬＣＤコントローラと、
ＬＣＤ表示を消去する際に、バックライト電源を遮断して白単色画面を表示すると共に、ＬＣＤ電源を遮断してから前記ＬＣＤコントローラをオフする手段と、
白単色表示の際に、表示メモリをあらかじめ用意しておいた白単色用表示メモリに切り換える手段を有することを特徴とする情報処理装置。
【請求項３】
表示装置としてＬＣＤとバックライトとを有する情報処理装置であって、
前記ＬＣＤの制御を行うＬＣＤコントローラと、
ＬＣＤ表示を消去する際に、バックライト電源を遮断して白単色画面を表示すると共に、ＬＣＤ電源を遮断してから前記ＬＣＤコントローラをオフする手段と、
白単色表示の際に白データを表示させる専用ハードウェアを有することを特徴とする情報処理装置。
【請求項４】
表示装置としてＬＣＤとバックライトとを有する情報処理装置の制御方法であって、
ＬＣＤ表示を消去する際に、バックライト電源を遮断して白単色画面を表示する工程と、
ＬＣＤ電源を遮断してからＬＣＤコントローラをオフする工程と、
白単色表示の際に、表示メモリの内容を白データに書き換える工程とを有することを特徴とする情報処理装置の制御方法。
【請求項５】
請求項４記載の制御方法の各工程をコンピュータに実行させるプログラムを記憶した記憶媒体。
【請求項６】
請求項４記載の制御方法の各工程をコンピュータに実行させるプログラム。
【発明の詳細な説明】
【技術分野】
【０００１】
本発明は情報処理装置に関し、特に表示機器の電源遮断の際に残像が表示されてしまう情報処理装置において好適なものである。
【背景技術】
【０００２】
近年、ＬＣＤ（Liquid Crystal Display）などの液晶表示装置は様々な分野に応用されている。しかしながら、表示画像を切り換えた際あるいは液晶表示装置本体の電源を遮断した際、切り換える直前あるいは遮断する直前の画像が残って表示されてしまうことが知られている。
【０００３】
これを回避する方法として、例えば、特許文献１（特開平９−１２７９１７）では、液晶画素に対して、黒信号を供給することで書き込み信号の消去を行い、静止画像だけでなく動画像を扱う場合においても画像切り換えによる残像の発生を改善する方法が提案されている。
【０００４】
電源遮断時の回避方法としては、例えば特許文献２（特開平１０−２１４０６７）により、液晶表示装置本体の主電源が遮断された後も液晶表示パネルに供給される電源電力を一定期間保持する補助電源を設け、電源遮断時に液晶表示パネルを液晶飽和電圧にて全面点灯させ、その後続けて全面消灯させる方法が提案されている。
【０００５】
【特許文献１】特開平９−１２７９１７号公報
【特許文献２】特開平１０−２１４０６７号公報
【発明の開示】
【発明が解決しようとする課題】
【０００６】
ここで、特許文献１（特開平９−１２７９１７）のように表示切り換えの際ではなく、電源遮断時に残像を残さないようにしたいという課題がある。また、消去時の画面状態が白色である場合には、黒色ではなく白単色を表示することが好ましい。
【０００７】
さらには特許文献２（特開平１０−２１４０６７）のように補助電源を備えた液晶でなくても残像を回避したいという課題がある。液晶表示装置本体によって残像が残りやすい、残りにくいという差があるうえ、残像が残る可能性のある液晶表示装置に対して残像を回避するためにはハードウェアに依存する部分は多いが、ソフトウェアでも工夫を持たせることが望ましい。
【０００８】
本発明は、このような問題を解決するために成されたものであり、ソフトウェア側で、電源遮断の際、残像回避のために消去時の画面状態を表示させ、見た目を損なうことなく画面表示を消すことを目的とする。
【課題を解決するための手段】
【０００９】
上記課題を解決するために本発明は、表示装置としてＬＣＤ（Liquid Crystal Display）とバックライトとを有する情報処理装置であって、ＬＣＤの制御を行うＬＣＤコントローラと、ＬＣＤ表示を消去する際に、バックライト電源を遮断して白単色画面を表示すると共に、ＬＣＤ電源を遮断してからＬＣＤコントローラをオフする手段と、白単色表示の際に、表示メモリの内容を白データに書き換える手段とを有することを特徴とする。
【発明の効果】
【００１０】
本発明によれば、電源遮断の際、残像回避のために消去時の画面状態を表示させ、見た目を損なうことなく画面表示を消すことができる。
【発明を実施するための最良の形態】
【００１１】
以下、本発明の実施の形態について図面を参照して説明する。
【００１２】
図１は本発明の一実施例におけるＬＣＤ（Liquid Crystal Display）の電源を遮断する際の動作を示すフローチャートである。はじめに、ＬＣＤ表示の必要がなくなった場合にステップ１０１においてYESとなり、次のステップ１０２でその時点でのＬＣＤ３０２の状態を調べる。ＬＣＤ表示を行っていたら（ステップ１０２でYES）、まずはステップ１０３でバックライトの電源を切り、消灯する。ステップ１０２でNOとなった場合、つまりＬＣＤ表示が行われていない場合や既に終了している場合には処理を終了する。バックライト消灯後にＬＣＤ３０２の電源を切るが、フレームの描画中に電源を落とすと画面が乱れる場合があるので、ステップ１０４で画面描画状態を確認し、一画面の表示がちょうど終わっているところかどうか調べる。ステップ１０４でNOの場合にはフレームの区切りまで待つ。ちょうど一画面を描画し終わっている状態（ステップ１０４でYES）であった場合にはＬＣＤ３０２の電源を切る（ステップ１０５）。続いてステップ１０６において、画面を白表示させる。その後ステップ１０７においてＬＣＤコントローラ３０１の電源を落とす。
【００１３】
図２に、本発明の一実施例における信号の一部についてそれぞれの状態例を示す。図２に示したＬＣＤＯＮとはＬＣＤ３０２本体とＬＣＤコントローラ３０１内の一部ドライバ側に電源を供給している信号である。制御信号はフレーム描画中にHIGHとなる信号である。前述のように、フレーム描画の区切りであることを示す制御信号が落ちている状態でＬＣＤＯＮをLOWにする。ＬＣＤＯＮをLOWにしたということでＬＣＤ３０２の電源を切ったことになるが、実際にＬＣＤパネル用の電圧は図示したように、信号を落としてから若干の遅れを持って完全にLOWになる。そのため、ＬＣＤパネル用の電圧が完全に落ちきってからＬＣＤコントローラ３０１をOFFにし、SYNC信号を遮断する。完全に落ちきるまで待つのは、ＬＣＤコントローラ電源を遮断する時にノイズが発生し、発生したノイズにより画面表示に影響する場合があるので、その可能性を軽減するためである。電源遮断時には画素電極に溜まった電荷は抜けていくが、抜けていくまでの時間が長く、また、画素と対極の電位差が高い場合に残像が残ってしまう。電源遮断時のＬＣＤ画面状態が白色である本実施例では、画素との対極の電位差が高い状態、すなわち黒表示に近い状態ほど残像となりうる。よって、図1のフローチャート中のステップ１０６で示したように、残像が残るのを防ぐため、ＬＣＤ３０２には白データを描画させておく。このステップの詳細を以下に示す。
【００１４】
図３は本発明の実施の形態に係るメモリとＬＣＤの構成を示すブロック図である。図３において、３００はメモリ、３０１はＬＣＤ３０２を制御するＬＣＤコントローラであり、３０２はＬＣＤパネル本体である。メモリ３００とＬＣＤコントローラ３０１間ではＣＰＵを介さずにデータのやり取りができるDMA（Direct Memory Access）転送を行う。これにより、より高速なデータ転送が可能である。両者をつなぐbusにはアドレス線とデータ線があり、転送を行うアドレスをアドレス線によって設定すると、そのアドレスにあるデータの読み出しや書き込みを行うことが出来る。ＬＣＤ３０２本体に対しては、ＬＣＤコントローラ３０１につながれた信号線から状態や書き込むデータが設定される。例えば、ＬＣＤ画面上が白単色で全画面塗りつぶされて表示されている際には、メモリ３００には全画面分の白データがあり、その白データが配置されているアドレスをＬＣＤ表示データ領域としてＬＣＤコントローラ３０１が把握している。よって、白表示させる際には、ＬＣＤ表示データ領域となる表示メモリであるメモリ領域（フレームバッファ）に白データを書き込めばよい。
【００１５】
〔第１の実施例〕
図４は本発明の一実施例における白データを書き込む際の動作を示すフローチャートである。ＬＣＤ３０２の電源を遮断した後、ＬＣＤコントローラ３０１のメモリ３００のアドレス指定はＬＣＤ表示用データのある場所に設定されているが電源遮断前のデータが設定されているので、白色データを用意し、ＬＣＤコントローラ３０１の指定するアドレスをインクリメント、またはデクリメントしてデータを順に書き込んでいく。ステップ４０１において、ＬＣＤ表示用のメモリアドレスを確認し、ａｄｄｒｅｓｓに設定する。次にステップ４０２で白データを設定してＬＣＤコントローラ３０１に転送する。ステップ４０３でアドレスをインクリメントして、ステップ４０４においてａｄｄｒｅｓｓが画面サイズのデータ分インクリメントされたかどうか判定する。ステップ４０４でｙｅｓとなり画面サイズ分のメモリアドレスが白データで書き込まれるまで、ステップ４０４でｎｏとなる限りは処理を繰り返し、ステップ４０４でｙｅｓとなり画面サイズ分の書き込みが終了したら処理を終える。
【００１６】
以上のように電源遮断時に表示メモリ（フレームバッファ）に白データを書き込むことで残像による表示の乱れがおきないので、見た目を損なうことがなくなる。
【００１７】
〔第２の実施例〕
図５は本発明の一実施例における白データを書き込む際のメモリ状態の変化を示す図である。ここでは、第１の実施例で示したようにメモリに白データを書き込んでいくのではなく、もともと画面サイズ分の白データをメモリ内に用意しておき、白表示させる際にＬＣＤ表示用データ先を切り換える。電源遮断時以外には表示データのメモリ（表示メモリ）を用い、電源遮断時にはＬＣＤ表示データ先が、あらかじめ用意した白データの置いてある表示メモリのアドレスを示すように変更する。メモリに余裕がある場合にはあらかじめ白データを用意しておくことで、アドレスを切り換えるだけでよく、より簡単に白表示が行える。
【００１８】
〔第３の実施例〕
白データを表示するために専用ハードウェアを用意しても良い。図６は専用ハードウェアを用いた場合の構成例である。電源遮断時にはＣＰＵ６０１によってＬＣＤコントローラ６０３から行うＬＣＤ表示指示をメモリ６０２から白単色画面を表示させるための専用ハードウェア６０４に切り換える。専用ハードウェアを用いることによって、メモリの容量に制限がある場合などにも効率的に白画面の描画ができる。また、専用ハードウェアの機能としては白を表示させるだけでよいので、簡単な構造にでき、コストも抑えることができる。
【００１９】
なお、上記実施形態は、本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００２０】
【図１】ＬＣＤの電源を遮断する際の動作の一例を示すフローチャートである。
【図２】ＬＣＤの電源を遮断する際の信号の一例を示す図である。
【図３】メモリとＬＣＤの構成例を示すブロック図である。
【図４】ＬＣＤ画面を白で描画する際の動作の一例を示すフローチャートである。
【図５】ＬＣＤ画面を白で描画する際のメモリ状態の一例を示す図である。
【図６】専用ハードウェアを用いた場合の構成例を示すブロック図である。
【符号の説明】
【００２１】
３００  メモリ
３０１  ＬＣＤコントローラ
３０２  ＬＣＤ
【図１】
2006071768.tif 000003
【図２】
2006071768.tif 000004
【図３】
2006071768.tif 000005
【図４】
2006071768.tif 000006
【図５】
2006071768.tif 000007
【図６】
2006071768.tif 000008